(57)【要約】【課題】対面で行った会話内容を明瞭に集音することが可能な対面会話集音方法を提供する。【解決手段】対面する対話者の音声を集音する対面会話集音方法であって、外部の音を集音する集音装置１を備え、集音装置１は、複数のマイクロフォン１１と、複数のマイクロフォン１１ａ〜１１ｃから集音された音を処理する処理部１２と、を有し、複数のマイクロフォン１１ａ〜１１ｃの内、少なくとも一つは無指向性であり、集音装置１は、対面する対話者Ａ及びＢの正面側に配置されていることを特徴とする。【選択図】図１
2020127064.tif 000002
【特許請求の範囲】
【請求項１】
対面する対話者の音声を集音する対面会話集音方法であって、
外部の音を集音する集音装置を備え、
前記集音装置は、複数のマイクロフォンと、前記複数のマイクロフォンから集音された音を処理する処理部と、を有し、
前記複数のマイクロフォンの内、少なくとも一つは無指向性であり、
前記集音装置は、前記対面する対話者の正面側の配置面に配置されていることを特徴とする対面会話集音方法。
【請求項２】
前記複数のマイクロフォンは、全て無指向性であることを特徴とする、請求項１に記載の対面会話集音方法。
【請求項３】
前記対面する対話者と前記集音装置との各距離の合計が、前記対面する対話者間の距離よりも大きいことを特徴とする、請求項１又は２に記載の対面会話集音方法。
【請求項４】
前記複数のマイクロフォンは、隣接する前記各マイクロフォンを結んだ直線が複数となるように、前記処理部に配置されていることを特徴とする、請求項１〜３の何れかに記載の対面会話集音方法。
【請求項５】
前記複数のマイクロフォンは、互いに略等間隔に配置されていることを特徴とする、請求項１〜４の何れかに記載の対面会話集音方法。
【請求項６】
前記複数のマイクロフォンは、３つであることを特徴とする、請求項５に記載の対面会話集音方法。
【請求項７】
前記複数のマイクロフォンの配置間隔は、２０ｍｍ〜３０ｍｍの範囲内であることを特徴とする、請求項６に記載の対面会話集音方法。
【請求項８】
前記集音装置は、前記複数のマイクロフォンを結んだ直線の内の一の直線方向と、前記対面する対話者の対面方向と、が略平行となるように配置されていることを特徴とする、請求項６又は７に記載の対面会話集音方法。
【請求項９】
前記集音装置は、外部機器と接続する接続部を有し、
前記接続部は、上面視で、前記対面する対話者の対面方向に対して略垂直方向から前記外部機器に接続可能であることを特徴とする、請求項１〜８の何れかに記載の対面会話集音方法。
【請求項１０】
前記集音装置は、前記配置面に対向する面に位置決め溝を有し、
前記配置面には、前記位置決め溝に嵌合する位置決め突起が設けられていることを特徴とする請求項１〜９の何れかに記載の対面会話集音方法。
【請求項１１】
対面する対話者の音声を集音する対面会話集音装置であって、
複数のマイクロフォンと、前記複数のマイクロフォンから集音された音を処理する処理部と、を有し、
前記複数のマイクロフォンの内、少なくとも一つは無指向性であることを特徴とする対面会話集音装置。
【発明の詳細な説明】
【技術分野】
【０００１】
本発明は、対面での会話に基づく情報を記録し管理する、対面会話集音方法に係るものである。
【背景技術】
【０００２】
近年、電力小売自由化等の施策に伴う消費者保護強化の観点から、来店型商談等において、取引の履歴を音声ファイルとして明瞭に取得・保存するための集音装置・システムが必要とされていた。
【０００３】
また、働き方改革等の施策に伴い、事業者が、従業者の業務効率の向上を図りつつ、コンプライアンス遵守等を実現するため、音声認識での文字化に有効な集音装置が必要とされていた。
【０００４】
このような問題点を解決するために、特許文献１には、音声通話や機器の操作などハンズフリー方式で音声を取得する集音装置に関するものであり、特に集音装置から見て特定の方向に存在する音源からの音だけを強調して集音したい場合に適用して好適な特定方向集音装置が記載されている。
【先行技術文献】
【特許文献】
【０００５】
【特許文献１】特許第４９２８３８２号公報
【発明の概要】
【発明が解決しようとする課題】
【０００６】
しかしながら、特許文献１に記載の発明は、特定の一方向に指向性を有するマイクロフォンアレーを用いる旨が記載されているのみであり、対面で行った会話内容の集音を行う際に、一方の対話者の発話内容が明瞭に集音されないという問題があった。
【０００７】
本発明は上記のような実状に鑑みてなされたものであり、対面で行った会話内容を、簡易かつ明瞭に集音することが可能な対面会話集音方法を提供することを課題とする。
【課題を解決するための手段】
【０００８】
上記課題を解決するために、本発明は、
対面する対話者の音声を集音する対面会話集音方法であって、
外部の音を集音する集音装置を備え、
前記集音装置は、複数のマイクロフォンと、前記複数のマイクロフォンから集音された音を処理する処理部と、を有し、
前記複数のマイクロフォンの内、少なくとも一つは無指向性であり、
前記集音装置は、前記対面する対話者の正面側の配置面に配置されていることを特徴とする。
【０００９】
本発明によれば、一つの集音装置のみで、簡易に各対話者の会話ごとの集音及びノイズの低減が可能となる。即ち、一つの集音装置が、少なくとも一つが無指向性の複数のマイクロフォンを有することで、各マイクロフォンに、複数の方向から発せられた音を集音させることができる。これにより、対話者は、各対話者の会話をメイン集音した際の音声データ及びノイズをメイン集音した際の音声データを簡易に取得することができ、これらの音声データを用いて、ノイズの除去等を行うことが可能となる。
【００１０】
本発明の好ましい形態では、前記複数のマイクロフォンは、全て無指向性であることを特徴とする。
【００１１】
このような構成とすることで、集音装置が、その周囲の音を満遍なく集音するため、対話会話を集音する際の、集音装置の配置態様のフレキシビリティが向上する。
【００１２】
本発明の好ましい形態では、前記対面する対話者と前記集音装置との各距離の合計が、前記対面する対話者間の距離よりも大きいことを特徴とする。
【００１３】
このような構成とすることで、各対話者の面前に集音装置が配置されないため、各対話者の間に適宜資料等を配置することができ、対面会話を効率良く進めていくことが可能となる。
【００１４】
本発明の好ましい形態では、前記複数のマイクロフォンは、隣接する前記各マイクロフォンを結んだ直線が複数となるように、前記処理部に配置されていることを特徴とする。
【００１５】
このような構成とすることで、複数のマイクロフォンの直線的でなく、平面的に配置され、多方向から発生する音を的確に集音することが可能となる。
【００１６】
本発明の好ましい形態では、前記複数のマイクロフォンは、互いに略等間隔に配置されていることを特徴とする。
【００１７】
このような構成とすることで、各マイクロフォンによる集音領域が明確に分割され、ノイズキャンセルの処理精度が向上する。
【００１８】
本発明の好ましい形態では、前記複数のマイクロフォンは、３つであることを特徴とする。
【００１９】
このような構成とすることで、ノイズキャンセルの処理精度を一定以上に維持しつつ、集音装置により取得された音声ファイルの容量を軽減し、ノイズキャンセルの処理速度を向上させることが可能となる。
【００２０】
本発明の好ましい形態では、前記複数のマイクロフォンの配置間隔は、２０ｍｍ〜３０ｍｍの範囲内であることを特徴とする。
【００２１】
このような構成とすることで、ノイズキャンセルの処理精度を一定以上に維持しつつ、集音装置をコンパクトな形態とすることが可能となる。
【００２２】
本発明の好ましい形態では、前記集音装置は、前記複数のマイクロフォンを結んだ直線の内の一の直線方向と、前記対面する対話者の対面方向と、が略平行となるように配置されていることを特徴とする。
【００２３】
このような構成とすることで、各マイクロフォンに、各対話者の発話内容の集音のためのもの、環境音等のノイズの集音のためのもの、と役割分担するように、各マイクロフォンによる集音領域がより明確に分割され、ノイズキャンセルの処理精度が向上する。
【００２４】
本発明の好ましい形態では、前記集音装置は、外部機器と接続する接続部を有し、
前記接続部は、上面視で、前記対面する対話者の対面方向に対して略垂直方向から前記外部機器に接続可能であることを特徴とする。
【００２５】
このような構成とすることで、外部機器を、対話者の視界の妨げとならない位置に容易に配置することができ、対面会話を効率良く進めていくことが可能となる。
【００２６】
本発明の好ましい形態では、前記集音装置は、前記配置面に対向する面に位置決め溝を有し、前記配置面には、前記位置決め溝に嵌合する位置決め突起が設けられていることを特徴とする。
【００２７】
このような構成とすることで、集音装置を配置面上に安定的に配置し、集音装置の不意の位置のぶれを抑制することが可能となる。
【００２８】
本発明は、対面する対話者の音声を集音する対面会話集音装置であって、
複数のマイクロフォンと、前記複数のマイクロフォンから集音された音を処理する処理部と、を有し、
前記複数のマイクロフォンの内、少なくとも一つは無指向性であることを特徴とする。
【発明の効果】
【００２９】
本発明によれば、対面で行った会話内容を明瞭に集音することが可能な対面会話集音方法を提供することができる。
【図面の簡単な説明】
【００３０】
【図１】本発明の実施形態に係る集音装置を示す図であって（ａ）概略斜視図、（ｂ）上面図である。
【図２】本発明の実施形態に係る集音装置が有する複数のマイクロフォンの拡大上面図である。
【図３】本発明の実施形態に係る集音装置を示す図であって（ａ）底面図、（ｂ）、（ｃ）配置面への配置方法を説明するための図である。
【図４】本発明の実施形態に係る対面会話集音システムの概要を示す図である。
【図５】本発明の実施形態に係る対面会話集音システムを用いた対面会話集音方法の概要を示す上面図である。
【図６】本発明の実施形態に係る対面会話集音システムを用いた対面会話集音方法において、集音装置の配置態様の変更例を模式的に示した上面図である。
【図７】本発明の実施形態に係る集音装置による音声データの処理手順を説明するための図である。
【図８】本発明の実施形態に係る集音装置による音声データの処理手順を説明するための図である。
【図９】本発明の実施形態に係る集音装置による音声データの処理手順を説明するための図である。
【図１０】本発明の実施形態に係る対面会話集音システムの管理画面を示す図である。
【図１１】本発明の実施形態に係る対面会話集音システムの管理画面を示す図である。
【図１２】本発明の実施形態に係る対面会話集音システムの管理画面を示す図である。
【図１３】本発明の実施形態に係る対面会話集音システムの管理画面を示す図である。
【図１４】本発明の実施形態に係る対面会話集音システムの管理画面を示す図である。
【発明を実施するための形態】
【００３１】
以下、図１〜図１４を用いて、本発明の実施形態に係る対面会話集音方法について説明する。
なお、以下に示す実施形態は本発明の一例であり、本発明を以下の実施形態に限定するものではない。本実施形態では特に、集音装置を用いた対面会話集音システムにより、対面会話集音方法を実施する場合について説明する。
【００３２】
例えば、本実施形態では対面会話集音システムの構成、動作などについて説明するが、同様の構成の方法、コンピュータプログラム、記録媒体なども、同様の作用効果を奏することができる。また、プログラムは、記録媒体に記憶させてもよい。この記録媒体を用いれば、例えばコンピュータに前記プログラムをインストールすることができる。ここで、前記プログラムを記憶した記録媒体は、例えばＣＤ−ＲＯＭ等の非一過性の記録媒体であっても良い。
【００３３】
図１に示すように、集音装置１は、３つのマイクロフォン１１と、３つのマイクロフォン１１から集音された音を処理する処理部１２と、を有している。
なお、マイクロフォン１１の数は３つに限られず、複数であれば幾つであっても良い。
【００３４】
また、集音装置１は、集音制御部１３と、接続部１４と、を有しており、これらは全て処理部１２に電気的に接続されている。
対話者は、集音制御部１３を押下することで、マイクロフォン１１による集音の開始や一時停止等の動作を制御することができる。
接続部１４は、コンピュータ等外部の管理端末との接続による充電や集音された音声データの取り出しのために用いられ、ＵＳＢ端子やＬｉｇｈｔｎｉｎｇ端子等、既知の接続手段が採用され得る。
【００３５】
さらに、集音装置１は、マイクロフォン１１、処理部１２、集音制御部１３及び接続部１４を収納する筺体１６を有している。
筺体１６は、全体が角丸四角形状に概略構成され、処理部１２が載置される下部筺体１６ａと、上部表面にポップガードｐが形成された上部筺体１６ｂと、により構成されている。
なお、図１（ｂ）は、上部筺体１６ｂを取外し、その内部を示した状態の集音装置１の上面図である。
【００３６】
ここで、以下説明の便宜上、図１（ｂ）において、左方のマイクロフォン１１をマイクロフォン１１ａ、右方のマイクロフォン１１をマイクロフォン１１ｂ、上方のマイクロフォン１１をマイクロフォン１１ｃと称することとする。
【００３７】
図２に示すように、３つのマイクロフォン１１は、その中心点を結ぶことにより正三角形が形成されるように、即ち、互いに略等間隔となるように配置されている。
また、３つのマイクロフォン１１は、全て無指向性であり、それぞれ一点鎖線で示すようなポーラーパターンを有している。
なお、各マイクロフォン１１の配置間隔ｄは、２０ｍｍ〜３０ｍｍの範囲内であることが好ましく、特に２５ｍｍであることが好ましい。
【００３８】
ここで、集音装置１は、特定の音の各マイクロフォン１１への到達時間の差により、特定の音が発せられた方向を識別する。
例えば、マイクロフォン１１ａ側から発せられた音ｓ１は、到達する時間が早い順にマイクロフォン１１ａ＞マイクロフォン１１ｃ＞マイクロフォン１１ｂとなる。
ここで、特定の音が発せられた方向を識別するための、以下の３つの式を考える。
（１）（マイクロフォン１１ａへの到達時間）−（マイクロフォン１１ｂへの到達時間）
（２）（マイクロフォン１１ａへの到達時間）−（マイクロフォン１１ｃへの到達時間）
（３）（マイクロフォン１１ｃへの到達時間）−（マイクロフォン１１ｂへの到達時間）
そして、音ｓ１について、各式（１）〜（３）何れも正の値となるため、音ｓ１は大まかにマイクロフォン１１ａ側から発せられた音であると識別される。
さらに、集音装置１は、各式（１）〜（３）の細かな値から、音ｓ１が、マイクロフォン１１ａ側のどの方向から発せられたのかを識別することができる。
【００３９】
マイクロフォン１１ａ側から発せられた音ｓ２についても、同様にして、各式（１）〜（３）何れも負の値となり、音ｓ２は大まかにマイクロフォン１１ｂ側から発せられた音であると識別される。
【００４０】
なお、本実施形態では、集音装置１の処理部１２により集音した音を処理する場合について説明するが、例えば、後述する個別管理端末Ｐや統合管理端末Ｒにより処理する構成としても良い。
【００４１】
図３（ａ）は、集音装置１の底面図である。
図３（ａ）に示すように、集音装置１は、スイッチ１５と、位置決め溝Ｇとを有している。
スイッチ１５は、その上方に示す矢印の方向に往復移動可能なＤＩＰスイッチであり、図４の説明で後述するように、処理部１２による音の処理モードを変更させるために用いられる。
位置決め溝Ｇは、五角形であり、先細りに形成された部分の頂点Ｇａは、マイクロフォン１１により形成される正三角形の内、マイクロフォン１１ｃ側の頂点と同一の方向を向いている。
【００４２】
図３（ｂ）及び（ｃ）は、集音装置１の配置方法を説明するための図である。
図３（ｂ）に示すように、集音装置１の配置面Ｚには、位置決め溝Ｇに嵌合する、位置決め溝Ｇと略同一形状の位置決め突起Ｈが設けられている。
配置面Ｚとしては、例えば机や床が考えられ、位置決め突起Ｈは、その一面が配置面Ｚと着脱可能な接着面として形成されていることが望ましい。即ち、対話者は、配置面Ｚに集音装置１を配置して集音を行う際、配置面Ｚに位置決め突起Ｈを接着させた後、位置決め突起Ｈの上方から集音装置１を配置する。
【００４３】
位置決め突起Ｈを用いた集音装置１の配置にいて詳述すれば、対話者は、位置決め突起Ｈが位置決め溝Ｇに嵌合するように集音装置１の向きを合わせ、図３（ｂ）及び（ｃ）の矢印に示すように、集音装置１を配置面Ｚに配置する。
なお、図３（ｃ）は、位置決め溝Ｇと位置決め突起Ｈを示す部分拡大断面図である。
【００４４】
これにより、位置決め突起Ｈが位置決め溝Ｇに嵌合し、集音装置１の、配置面Ｚ上での位置及び向きが固定される。
【００４５】
図４は、集音装置１により得られた音声データを管理する際の、対面会話集音システムＳの概要を示す図である。
図４における対面会話集音システムＳは、複数の集音装置１と、接続部１４を介して各集音装置１に接続された複数の個別管理端末Ｐと、管理サーバＱと、管理サーバＱに接続された統合管理端末Ｒを備えており、各個別管理端末Ｐと管理サーバＱとは、ネットワークＮを介して、相互に接続されている。
なお、対面会話集音システムＳの構成は上記に限られず、例えば、複数の集音装置１が、１つの個別管理端末Ｐに接続されていても良い。
【００４６】
一の集音装置１及び一の個別管理端末Ｐのセットは、会議室等、対面会話の集音を行う所望の場所に設置される。
また、対面する対話者との会話により取得された音声データは、処理部１２により処理され、個別管理端末Ｐを介して管理サーバＱに格納されていく。
【００４７】
次に、図５〜図８を用いて、対面会話集音方法の実施態様について説明する。
【００４８】
図５に示すように、本実施形態に係る対面会話集音システムＳを用いた対面会話集音方法は、集音装置１を対面する対話者Ａ及びＢの正面側に配置されることにより行われる。
なお、対話者Ａ及びＢは椅子Ｃに着座しており、集音装置１は机Ｔ（配置面Ｚ）に配置されている。また、集音装置１は、机Ｔに配置された個別管理端末Ｐに、接続部１４を介して接続されている。
【００４９】
詳述すれば、集音装置１は、直線距離Ａｄ及びＢｄの合計が、対面する対話者Ａ及びＢ間の直線距離Ｄよりも大きくなるように配置されている。
即ち、集音装置１は、対話者Ａ（対話者Ｂ）から見て右方（左方）斜め前に位置するように配置されている。
なお、集音装置１は、対話者Ａ（対話者Ｂ）から見て左方（右方）斜め前に位置するように配置されていても良い。また、図４では、対話者Ａ及びＢから集音装置１までの直線距離Ａｄ及びＢｄは、略等間隔であるが、必ずしも略等間隔となるように配置する必要はない。
【００５０】
また、図５右上の部分拡大図は、集音装置１の内部を示しており、この部分拡大図に示すように、集音装置１は、マイクロフォン１１ａとマイクロフォン１１ｂとを結んだ直線の延びる方向ｘ１が、対話者Ａ及びＢの対面方向ｘ２と略平行となるように配置されている。
さらに、接続部１４は、図４において集音装置１の右方に位置し、対面方向ｘ２に対して略垂直方向から個別管理端末Ｐに接続されている。
【００５１】
なお、図５に示すように、対話者Ａの発話に基づく音声を音声Ａｖ、対話者Ｂの発話に基づく音声を音声Ｂｖ、対話者Ａから見て左方から発せられる環境音等のノイズをノイズｎとする。
【００５２】
ここで、集音装置１は必ずしも、対話者Ａや対話者Ｂから見て斜め前に配置する必要はなく、例えば、対話者Ａ及び対話者Ｂの正面に配置されていても良い。
この際、対話者Ａや対話者Ｂは、集音装置１のスイッチ１５により、処理部１２による音声の処理モードを変更させる。
即ち、集音装置１は、スイッチ１５の操作により、上記した各式（１）〜（３）の値に基づく特定の音が発せられた方向の識別において、対話者の音声と識別する方向、ノイズと識別する方向が変更される。
【００５３】
例えば、図５では、マイクロフォン１１ａやマイクロフォン１１ｂについて、斜め方向から集音される音を対話者Ａや対話者Ｂの音声と識別し、直線方向から集音される音をノイズと識別する。
一方、集音装置１を対話者Ａ及び対話者Ｂの正面に配置した場合、スイッチ１５の操作により、マイクロフォン１１ａやマイクロフォン１１ｂについて、斜め方向から集音される音をノイズと識別し、直線方向から集音される音を対話者Ａや対話者Ｂの音声と識別するように、処理モードが変更される。
さらに、集音装置１は、例えば、マイクロフォン１１ｂ側から発せられる音全てをノイズと識別し、マイクロフォン１１ａについて、直線方向から集音される音を対話者Ａの音声と識別するように、即ち、特定の一方向のみを音声と識別するような処理モードを有する構成としても良い。
【００５４】
図６は、処理モードの変更について説明するために、対面会話集音方法の実施態様を模式的に示した図である。即ち、対話者Ａ及びＢは頭部のみ、集音装置１はマイクロフォン１１ａ〜１１ｃのみ示しており、マイクロフォン１１ａ〜１１ｃは説明の便宜上、拡大して示している。
図６（ａ）に示すように、集音装置１を対話者Ａ及びＢの正面に配置した場合、例えば、対話者Ａの音声Ａｖは、マイクロフォン１１ａへの到達時間が、他のマイクロフォン１１ｂ、１１ｃへの到達時間よりも短い。
一方、図６（ｂ）に示すように、集音装置１を対話者Ａの斜め前に位置するように配置した場合、例えば、対話者Ａの音声Ａｖは、マイクロフォン１１ｃへの到達時間が、他のマイクロフォン１１ｂ、１１ｃへの到達時間よりも短い。
【００５５】
このように、集音装置１の配置態様により、音声やノイズに関する各式（１）〜（３）の値が変化するため、対話者は、処理モードの変更により、音声又はノイズと識別する値を変更し、配置態様に即した処理が行われるようにする。
【００５６】
図７は、図５に示す状態で行われた対話（音声Ａｖ、音声Ｂｖ）及び対話中に発せられたノイズｎを、マイクロフォン１１ａ〜１１ｃで集音することにより取得された音声データを示している。
図７（ａ）はマイクロフォン１１ａ、図７（ｂ）はマイクロフォン１１ｂ、図７（ｃ）はマイクロフォン１１ｃで集音することにより得られた音声データ（それぞれ音声データＦａ〜Ｆｃ）である。また、各音声データの横軸ｔは時刻、縦軸ａは振幅（音量）を表している。
なお、以下図７〜図９において、説明の便宜上、ノイズｎ、音声Ａｖ、音声Ｂｖは、別の波形として示しているが、実際のデータは、これらが加算された１つの波形である。また、ノイズｎの波形は実線、音声Ａｖの波形は破線、音声Ｂｖの波形は一点鎖線で示している。
【００５７】
図７（ａ）に示すように、マイクロフォン１１ａで集音することにより得られた音声データＦａは、マイクロフォン１１ｂ及びマイクロフォン１１ｃと比較して、対話者Ａ側に配置されているため、音声Ｂｖ、ノイズｎと比較して音声Ａｖの振幅が大きい。
【００５８】
図７（ｂ）に示すように、マイクロフォン１１ｂで集音することにより得られた音声データＦｂは、マイクロフォン１１ａ及びマイクロフォン１１ｃと比較して、対話者Ｂ側に配置されているため、音声Ａｖ、ノイズｎと比較して音声Ｂｖの振幅が大きい。
【００５９】
図７（ｃ）に示すように、マイクロフォン１１ｃで集音することにより得られた音声データＦｃは、マイクロフォン１１ａ及びマイクロフォン１１ｂと比較して、ノイズｎが発せられる側に配置されているため、音声Ａｖ、Ｂｖと比較してノイズｎの振幅が大きい。
【００６０】
次に、音声データＦｃを用いた、音声データＦａに対するノイズキャンセルの手順について説明する。
【００６１】
まず、図８に示すように、処理部１２は、音声データＦｃにおけるノイズｎの振幅が、音声データＦａにおけるノイズｎの振幅と略同一となるように、音声データＦｃの振幅を減少させる処理を行う（矢印イ）。
【００６２】
次に、処理部１２は、音声データＦｃを反転させる処理を行う（矢印ロ）。
【００６３】
次に、図９に示すように、処理部１２は、反転した音声データＦｃと音声データＦａとを合成させる処理を行う（＋印ハ）。
【００６４】
これにより、音声データＦｃにおけるノイズｎの逆位相の波形によって音声データＦａにおけるノイズｎがキャンセルされる。また、音声Ａｖについては、音声データＦａと音声データＦｃとで振幅の差が大きく、合成した際の波形の振幅には、大きな影響は与えない。
即ち、上記手順により、音声Ａｖの聴き取りがより明瞭なものとなった音声データＦａ´が生成される（矢印ニ）。
なお、音声データＦｂに対しても、音声データＦｃを用いて同様の手順でノイズキャンセルが行われる。
【００６５】
次に、図１０〜図１３を用いて、個別管理端末Ｐの表示部に表示される対面会話集音システムＳの管理画面について説明する。
【００６６】
図１０は、初期画面Ｐ１を示す図である。
初期画面Ｐ１には、再生画面表示部Ｐ１ａと、保存情報表示部Ｐ１ｂと、録音モード選択部Ｐ１ｃと、が表示されている。
【００６７】
管理者は、再生画面表示部Ｐ１ａを選択することで、後述する再生画面Ｐ２を表示することができる。
また、保存情報表示部Ｐ１ｂには、後述する録音ファイル保存情報設定画面Ｐ４により設定された保存情報が表示される。
また、管理者は、録音モード選択部Ｐ１ｃにより、集音装置１の録音の開始や停止、一時停止、取得した音声ファイルの登録等を行うことができる。
【００６８】
図１１は、再生画面Ｐ２を示す図である。
再生画面Ｐ２には、保存先検索部Ｐ２ａと、検索結果表示部Ｐ２ｂと、音声ファイル再生部Ｐ２ｃと、が表示されている。
【００６９】
管理者は、保存先検索部Ｐ２ａにより、後述する録音デバイス設定画面Ｐ３により設定された集音装置１固有の内線番号やデバイス名、シリアル番号、集音装置１が用いられた場所の拠点番号等に基づき、特定の音声ファイルを検索することができる。
また、保存先検索部Ｐ２ａにより索出された特定の音声ファイルは、検索結果表示部Ｐ２ｂに表示される。
また、管理者は、検索結果表示部Ｐ２ｂに表示された特定の音声ファイルから、所望の音声ファイルを選択し、音声ファイル再生部Ｐ２ｃを用いて、選択した音声ファイルを再生することができる。管理者は、音声ファイル再生部Ｐ２ｃにより、再生、停止の他、再生速度の調節や再生デバイスの選択等を実行することができる。
【００７０】
図１２は、録音デバイス設定画面Ｐ３を示す図である。
録音デバイス設定画面Ｐ３には、デバイス情報設定部Ｐ３ａと、録音条件設定部Ｐ３ｂと、が表示されている。
【００７１】
管理者は、デバイス情報設定部Ｐ３ａにより、集音装置１固有の内線番号やデバイス名、シリアル番号、集音装置１が用いられた場所の拠点番号、録音時の音量の調節等を実行することができる。
また、管理者は、録音条件設定部Ｐ３ｂにより、音声ファイルのフォーマットや、録音時間の上限・下限の設定等を行うことができる。
【００７２】
図１３は、録音ファイル保存情報設定画面Ｐ４を示す図である。
録音ファイル保存情報設定画面Ｐ４には、保存先設定部Ｐ４ａと、保存条件設定部Ｐ４ｂと、が表示されている。
【００７３】
管理者は、保存先設定部Ｐ４ａにより、音声ファイルの保存先やパスワードの有無等を設定することができる。
また、管理者は、保存条件設定部Ｐ４ｂにより、音声ファイルの破棄の禁止・許可設定の変更や付加情報の記入等を行うことができる。
【００７４】
図１４は、統合管理端末Ｒに表示される統合管理画面Ｐ５を示す図である。
統合管理画面Ｐ５には、保存先検索部Ｐ５ａと、検索結果表示部Ｐ５ｂと、音声ファイル再生部Ｐ５ｃと、音声ファイル詳細表示部Ｐ５ｄと、が表示されている。
【００７５】
管理者は、保存先検索部Ｐ５ａを用いて、各集音装置１より取得された音声ファイルを一括で検索することができる。
また、保存先検索部Ｐ５ａにより索出された特定の音声ファイルは、検索結果表示部Ｐ５ｂに一覧表示される。
また、管理者は、検索結果表示部Ｐ５ｂから所望の音声ファイルを選択し、音声ファイル再生部Ｐ５ｃにより、再生、停止の他、再生速度の調節や再生デバイスの選択等を実行することができる。
また、音声ファイル詳細表示部Ｐ５ｄには選択した音声ファイルの保存情報等が表示される。
【００７６】
本実施形態によれば、一つの集音装置のみで、簡易に各対話者の会話ごとの集音及びノイズの低減が可能となる。
【００７７】
また、マイクロフォン１１ａ〜１１ｃが、全て無指向性であることで、集音装置１が、その周囲の音を満遍なく集音するため、対話会話を集音する際の、集音装置１の配置態様のフレキシビリティが向上する。
【００７８】
また、対面する対話者Ａ及びＢと集音装置との直線距離Ａｄ及びＢｄの合計が、対面する対話者間の直線距離Ｄよりも大きいことで、各対話者Ａ及びＢの面前に集音装置１が配置されないため、各対話者Ａ及びＢの間に適宜資料等を配置することができ、対面会話を効率良く進めていくことが可能となる。
【００７９】
また、集音装置１が有するマイクロフォンの数が、３つであることで、ノイズキャンセルの処理精度を一定以上に維持しつつ、集音装置１により取得された音声ファイルの容量を軽減し、ノイズキャンセルの処理速度を向上させることが可能となる。
【００８０】
また、３つマイクロフォン１１ａ〜１１ｃが、互いに略等間隔に配置されていることで、各マイクロフォン１１ａ〜１１ｃによる集音領域が明確に分割され、ノイズキャンセルの処理精度が向上する。
【００８１】
また、３つのマイクロフォン１１ａ〜１１ｃの配置間隔ｄが、２０ｍｍ〜３０ｍｍの範囲内であることで、ノイズキャンセルの処理精度を一定以上に維持しつつ、集音装置１をコンパクトな形態とすることが可能となる。
【００８２】
また、集音装置１が、マイクロフォン１１ａと１１ｂとを結んだ直線の延びる方向ｘ１と、対面する対話者Ａ及びＢの対面方向ｘ２と、が略平行となるように配置されていることで、各マイクロフォン１１ａ〜１１ｃに、各対話者Ａ及びＢの発話内容（音声Ａｖ、Ｂｖ）の集音のためのもの、環境音等のノイズｎの集音のためのもの、と役割分担するように、各マイクロフォン１１ａ〜１１ｃによる集音領域がより明確に分割され、ノイズキャンセルの処理精度が向上する。
【００８３】
また、接続部１４が、上面視で、対面する対話者Ａ及びＢの対面方向ｘ２に対して略垂直方向から個別管理端末Ｐに接続可能であることで、個別管理端末Ｐを、対話者Ａ及びＢの視界の妨げとならない位置に容易に配置することができ、対面会話を効率良く進めていくことが可能となる。
【００８４】
また、位置決め溝Ｇ及び位置決め突起Ｈにより、集音装置１を配置面Ｚ上に安定的に配置し、集音装置１の不意の位置のぶれを抑制することが可能となる。さらに、頂点Ｇａが、マイクロフォン１１により形成される正三角形の内、マイクロフォン１１ｃ側の頂点と同一の方向を向いていることで、迅速に集音装置１を適切な向きに配置することが可能となる。
【００８５】
なお、上述の実施形態において示した各構成部材の諸形状や寸法等は一例であって、設計要求等に基づき種々変更可能である。
【符号の説明】
【００８６】
１          集音装置
１１        マイクロフォン
１２        処理部
１３        集音制御部
１４        接続部
１５        スイッチ
１６        筺体
Ｇ          位置決め溝
Ｚ          配置面
Ｈ          位置決め突起
ｐ          ポップガード
Ｓ          対面会話集音システム
Ｐ          個別管理端末
Ｑ          管理サーバ
Ｒ          統合管理端末
Ｎ          ネットワーク
Ａ、Ｂ      対話者
Ｃ          椅子
Ｔ          机
Ａｖ、Ｂｖ  音声
ｎ          ノイズ
Ｆａ、Ｆｂ、Ｆｃ、Ｆａ´  音声データ
Ｐ１        初期画面
Ｐ２        再生画面
Ｐ３        録音デバイス設定画面
Ｐ４        録音ファイル保存情報設定画面
Ｐ５        統合管理画面
【図１】
2020127064.tif 000003
【図２】
2020127064.tif 000004
【図３】
2020127064.tif 000005
【図４】
2020127064.tif 000006
【図５】
2020127064.tif 000007
【図６】
2020127064.tif 000008
【図７】
2020127064.tif 000009
【図８】
2020127064.tif 000010
【図９】
2020127064.tif 000011
【図１０】
2020127064.tif 000012
【図１１】
2020127064.tif 000013
【図１２】
2020127064.tif 000014
【図１３】
2020127064.tif 000015
【図１４】
2020127064.tif 000016
【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
対面する対話者の音声を集音する対面会話集音方法であって、
外部の音を集音する集音装置を備え、
前記集音装置は、複数のマイクロフォンと、前記複数のマイクロフォンから集音された音を処理する処理部と、前記対面する対話者の正面側の配置面に対向する面に設けられた位置決め溝と、を有し、
前記複数のマイクロフォンの内、少なくとも一つは無指向性であり、
前記配置面には、前記位置決め溝に嵌合する位置決め突起が設けられ、
前記集音装置は、前記配置面に、前記位置決め溝が前記位置決め突起に嵌合されて配置されることを特徴とする対面会話集音方法。
【請求項２】
前記位置決め突起は、前記配置面に対して着脱可能であることを特徴とする、請求項１に記載の対面会話集音方法。
【請求項３】
前記複数のマイクロフォンは、全て無指向性であることを特徴とする、請求項１又は２に記載の対面会話集音方法。
【請求項４】
前記対面する対話者と前記集音装置との各距離の合計が、前記対面する対話者間の距離よりも大きいことを特徴とする、請求項１〜３の何れかに記載の対面会話集音方法。
【請求項５】
前記複数のマイクロフォンは、隣接する前記各マイクロフォンを結んだ直線が複数となるように、前記処理部に配置されていることを特徴とする、請求項１〜４の何れかに記載の対面会話集音方法。
【請求項６】
前記複数のマイクロフォンは、互いに略等間隔に配置されていることを特徴とする、請求項１〜５の何れかに記載の対面会話集音方法。
【請求項７】
前記複数のマイクロフォンは、３つであることを特徴とする、請求項６に記載の対面会話集音方法。
【請求項８】
前記複数のマイクロフォンの配置間隔は、２０ｍｍ〜３０ｍｍの範囲内であることを特徴とする、請求項７に記載の対面会話集音方法。
【請求項９】
前記集音装置は、前記複数のマイクロフォンを結んだ直線の内の一の直線方向と、前記対面する対話者の対面方向と、が略平行となるように配置されていることを特徴とする、請求項７又は８に記載の対面会話集音方法。
【請求項１０】
前記集音装置は、外部機器と接続する接続部を有し、
前記接続部は、上面視で、前記対面する対話者の対面方向に対して略垂直方向から前記外部機器に接続可能であることを特徴とする、請求項１〜９の何れかに記載の対面会話集音方法。
【請求項１１】
対面する対話者の音声を集音する対面会話集音装置であって、
複数のマイクロフォンと、前記複数のマイクロフォンから集音された音を処理する処理部と、前記対面する対話者の正面側の配置面に対向する面に設けられた位置決め溝と、を有し、
前記複数のマイクロフォンの内、少なくとも一つは無指向性であることを特徴とする対面会話集音装置。
前記位置決め溝は、前記配置面に設けられた位置決め突起に嵌合することを特徴とする対面会話集音装置。